(57)【要約】      （修正有）【課題】伝導性の棒に輪状の導電性の先端を通して、その棒と先端が接触しないようにゴールまで、いかに早く運ぶことができるかどうかを競う玩具において、ゲームの熟練度に応じた遊び方できる玩具を提供する。【解決手段】電源１、電源１の一方の極に接続する少なくとも１つの光源１０、および／または、少なくとも１つの発音装置２０、光源１０および／または発音装置２０に接続する持ち手３０、持ち手３０の他端に接続する導電性末端４０、電源１の他方の極に接続する導電性棒５０を有する玩具であって、持ち手３０と導電性末端４０とが、第１のコネクタ６０により着脱が可能とする。【選択図】図１
0003194498.tif 000002
【実用新案登録請求の範囲】
【請求項１】
電源１、前記電源１の一方の極に接続する少なくとも１つの光源１０、および／または、少なくとも１つの発音装置２０、前記光源１０および／または前記発音装置２０に接続する持ち手３０、前記持ち手３０の他端に接続する導電性末端４０、前記電源１の他方の極に接続する導電性棒５０を有する玩具であって、
前記持ち手３０と前記導電性末端４０とが、第１のコネクタ６０により着脱が可能であることを特徴とする、玩具。
【請求項２】
前記電源１と前記導電性棒５０とが、第２のコネクタ７０により着脱が可能であることを特徴とする、請求項１に記載の玩具。
【請求項３】
前記光源１０および／または前記発音装置２０と前記持ち手３０とが、第３のコネクタ８０により着脱が可能であることを特徴とする、請求項１または２に記載の玩具。
【請求項４】
前記電源１０と前記光源１０および／または前記発音装置２０との間に、少なくとも１つのスイッチを有することを特徴とする、請求項１〜３のいずれかに記載の玩具。
【考案の詳細な説明】
【技術分野】
【０００１】  本考案は、導電性の棒に通した輪状の導電性の先端を接触させることにより、光源および／または発音装置に通電する玩具に関する。
【背景技術】
【０００２】  従来、伝導性の棒に輪状の導電性の先端を通して、その棒と先端が接触しないようにゴールまで、いかに早く運ぶことができるかどうかを競う玩具が存在している（たとえば、「動く！遊べる！小学生のおもしろ工作」、成美堂出版）。
【考案の概要】
【考案が解決しようとする課題】
【０００３】  しかし、従来の玩具では、先端の輪状部が一定の大きさに固定されているため、ゲームの熟練度に応じた遊び方ができないという課題があった。
【課題を解決するための手段】
【０００４】  本願考案は、上記課題を解決するべく、以下に示す構成を有するものとした。
すなわち、本考案は、電源１、前記電源１の一方の極に接続する少なくとも１つの光源１０、および／または、少なくとも１つの発音装置２０、前記光源１０および／または前記発音装置２０に接続する持ち手３０、前記持ち手３０の他端に接続する導電性末端４０、前記電源１の他方の極に接続する導電性棒５０を有する玩具であって、前記持ち手３０と前記導電性末端４０とが、第１のコネクタ６０により着脱が可能であることを特徴とする、玩具である。
また、本考案は、前記電源１と前記導電性棒５０とが、第２のコネクタ７０により着脱が可能であることを特徴とする、上記の玩具である。
さらに、本考案は、前記光源１０および／または前記発音装置２０と前記持ち手３０とが、第３のコネクタ８０により着脱が可能であることを特徴とする、上記の玩具である。
また、本考案は、前記電源１０と前記光源１０および／または前記発音装置２０との間に、少なくとも１つのスイッチを有することを特徴とする、上記の玩具である。
【考案の効果】
【０００５】  本考案によれば、ゲームの熟練度に応じて、導電性末端４０、持ち手３０および／または導電性棒５０を簡単に着脱することができ、それぞれの熟練度に応じた遊び方できるという効果を有する。
【図面の簡単な説明】
【０００６】
【図１】  本考案を概略的に示す回路図である。
【図２】  本考案に用いられる導電性末端４０の例を示す図である。
【図３】  本考案に用いられる持ち手３０の例を示す図である。
【図４】  本考案に用いられる導電性棒５０の例を示す図である。
【図５】  本考案の１例を概略的に示す図である。
【考案を実施するための形態】
【０００７】  以下、本願考案を図面に基づいて説明する。
図１において、本願考案は、電源１、前記電源１の一方の極に接続する少なくとも１つの光源１０、および／または、少なくとも１つの発音装置２０、前記光源１０および／または前記発音装置２０に接続する持ち手３０、前記持ち手３０の他端に接続する導電性末端４０、前記電源１の他方の極に接続する導電性棒５０を有し、前記持ち手３０と前記導電性末端４０とが、第１のコネクタ６０により着脱が可能となっている。
【０００８】  導電性末端４０の形状には、特に制限はないが、円形、三角形、四角形などがあげられ、いずれも閉じた形とすることが好ましい。中でも、円形であることが特に好ましい。
【０００９】  そして、図２に示すように、ゲームの熟練度に応じて、導電性末端４０の大きさを変えることができる。導電性末端４０を円形とする場合の直径としては、導電性棒の太さに応じ、適宜決めることができ、例えば、導電性棒の直径が約１．５ｍｍであれば、内径が１ｃｍ〜３ｃｍなどを挙げることができる。
【００１０】  本考案に用いられる光源１０としては、電流が流れることにより光を放射するものであれば特に制限はなく、白熱球、理科用豆電球、ＬＥＤなどを挙げることができる。大きさや、消費電力の観点からは、ＬＥＤが特に好ましい。なお、ＬＥＤを用いる場合は、必要に応じ、アノード側に抵抗を入れてもよい。
【００１１】  本考案に用いられる発音装置としては、電流が流れることにより音を発するものであれば特に制限はなく、ブザー（例えば、防犯ブザー）、ベル、アラーム等を挙げることができる。
【００１２】  本考案においては、上述のように少なくとも１つの光源１０および／または少なくとも１つの発音装置を用いるが、例えば、光源を１〜５０個用い、発音装置を１つ用いることが挙げられる。この場合、それぞれの光源、発音装置を電源に対して並列または直列のいずれにつないでもよいが、設計の簡易性や、電源に対する負荷を考慮すると、並列のほうが好ましい。
【００１３】  図１においては、光源としてＬＥＤを２つ、発音装置としてブザー１つをそれぞれ並列につないでいる。
【００１４】  図４に示すように、本考案においては、導電性棒５０の一端に第２のコネクタ７０を有することができる。これにより、ゲームの難易度に応じて導電性棒の長さや、形状を変えることができる。
【００１５】  図３に示すように、本考案においては、持ち手３０の下端に第３のコネクタ８０を有することができる。これにより、ゲームの難易度に応じて持ち手の長さ、太さ、形状を変えることができる。
【００１６】  持ち手３０としては、導電性先端４０を取回せる長さ、太さであれば特に制限はないが、例えば、１ｃｍ角の木材の表面に溝を設け、その中に伝導性の棒を嵌合して、周りをテープ等で覆うことができる（図３の上の例）。
【００１７】  あるいは、１〜３ｃｍの直径を有し、導電性の棒を内部に通す管を有する木材を用いて、持ち手３０としてもよい。この場合、必要に応じ、木材管の両端に弾性体を挿入し、接着剤で固定することが好ましい（図３の下の例）。
【００１８】  本考案においては、電源１０と前記光源１０および／または前記発音装置２０との間に、少なくとも１つのスイッチを有することができる。例えば、音を出さずにゲームを行いたい場合は、図１に示すように、ブザーと電源との間にスイッチを備えることにより、任意に音を出したり、出さないように設定することができる。
【００１９】  本考案に用いられる電源１としては、直流、交流のいずれであってもよいが、ＬＥＤを光源として用いる場合は、直流がより好ましい。そして、玩具を持ち運ぶことを考慮した場合、乾電池あるいは２次電池等がより好ましい。
【００２０】  また、電圧についても特に制限はないが、玩具という性質上１０Ｖ未満ものもが好ましく、例えば、１．５〜６Ｖ、より好ましくは３．０〜４．５Ｖを挙げることができる。
【００２１】  本考案に用いられる導電性末端４０および導電性棒５０の材質としては、導電性を有するものであれば、特に制限はないが、例えば、金、銀、銅、アルミニウム、鉄等を挙げることができ、価格や成形のしやすさの点では銅とアルミニウムが好ましく、銅が特に好ましい。
【実施例】
【００２２】  図５に、本考案を具体的に実施した図を示す。図５において、筐体１００の上面には、１２個のＬＥＤが光源として配置され、第２のコネクタ７０により接合された導電性棒５０が上方に伸びており、他端は、導電性棒５０の受け部１１０に差し込まれている。筐体１００の前面右から突出した導線を通じ、第３のコネクタ８０で接合された持ち手３０があり、その他端は第１のコネクタ６０により接合された導電性末端４０が備えられている。そして、導電性末端４０の円の内側に、導電性棒５０が貫入しており、導電性末端４０と導電性棒５０が接触すると、ＬＥＤが光り、筐体１００の内部に設置してある防犯ブザーが鳴るようになっている。【００２３】  また、筐体開口部１２０を上方に上げることにより、筐体の内部を簡単に露出させることができる。筐体内部には、単１電池３本が直列に配置されており、４．５Ｖの電圧で作動する。また、防犯ブザーとこれにつながるスイッチが配置されており、防犯ブザーのスイッチを簡便に入り切りすることができる。【００２４】  各ＬＥＤおよび防犯ブザーは、アノード用とカソード用のそれぞれのプリント基板に接合されており、いずれも電源に対して並列に接続されている。
【符号の説明】
【００２５】    １    電源
１０    光源
２０    発音装置
３０    持ち手
４０    導電性末端
５０    導電性棒
６０    第１のコネクタ
７０    第２のコネクタ
８０    第３のコネクタ
９０    スイッチ
１００    筐体
１１０    受け部
１２０    筐体開口部
【図１】
0003194498.tif 000003
【図２】
0003194498.tif 000004
【図３】
0003194498.tif 000005
【図４】
0003194498.tif 000006
【図５】
0003194498.tif 000007